(57)【要約】【課題】  データ記録再生装置において、削除されたデータを容易な操作で回復させる。【解決手段】  ハードディスク１２０は、録画領域１２２と、録画領域１２２に記録された各ファイルデータのインデックスデータを記憶するインデックスデータ記憶領域１２３と、バックアップデータ記憶領域１２４とを含む。録画領域１２２内の各ファイルデータは、インデックスデータ記憶領域１２３内のインデックスデータに基づいて再生される。録画領域１２２内の或るファイルデータを削除する操作がなされると、当該或るファイルデータに対応するインデックスデータがインデックスデータ記憶領域１２３からバックアップデータ記憶領域１２４へ移動される。一方、当該或るファイルデータを回復させる操作がなされると、当該或るファイルデータに対応したインデックスデータは、バックアップデータ記憶領域１２４からインデックスデータ記憶領域１２３へ移動される。【選択図】        図２
2005196840.tif 000002
【特許請求の範囲】
【請求項１】
ファイルデータの記録および再生を行なうデータ記録再生装置であって、
ファイルデータを記憶する第１の記憶部と、
前記第１の記憶部に記憶されたファイルデータを管理する情報である管理情報を記憶する第２の記憶部と、
前記第１の記憶部および前記第２の記憶部とは独立して設けられた第３の記憶部と、
前記第２の記憶部に記憶された前記管理情報に基づいて、前記第１の記憶部に記憶されたファイルデータを再生する再生部と、
外部からの操作を入力される入力部と、
前記入力部において、前記第１の記憶部に記憶された或るファイルデータを削除する操作がなされた場合、前記第２の記憶部に記憶された前記或るファイルデータに対応する前記管理情報を、前記第３の記憶部に移動させて記憶させる第１の情報移動部と、
前記第３の記憶部に記憶された前記管理情報に対応するファイルデータを特定する情報を表示させる表示部と、
前記入力部において、前記表示部によって特定する情報を表示されたファイルデータの中から前記或るファイルデータの削除を取消す操作がなされた場合、前記或るファイルデータに対応する前記管理情報を、前記第２の記憶部に移動させて記憶させる第２の情報移動部と、
映像データを受信する受信部と、
前記受信部の受信した映像データを前記第１の記憶部にファイルデータとして記録する記録部と、
前記第１の記憶部において前記記録部がファイルデータを記録するための領域が不足した場合に、前記第１の記憶部において記憶されているファイルデータの中から上書きの対象となるファイルデータを決定する決定部とを備え、
前記管理情報は、対応するファイルデータが前記第１の記憶部に記憶された時を特定する情報である記憶時特定情報を含み、
前記決定部は、
前記第３の記憶部に記憶されている前記管理情報の中の、前記記憶時特定情報で特定される時が最も過去である前記管理情報に対応するファイルデータを、前記上書きの対象となるファイルデータと決定し、かつ、
前記データ記録再生装置の電源の投入時に、前記上書きの対象となるファイルデータを特定する情報を表示させる、データ記録再生装置。
【請求項２】
ファイルデータを記憶する第１の記憶部と、
前記第１の記憶部に記憶されたファイルデータを管理する情報である管理情報を記憶する第２の記憶部と、
前記第１の記憶部および前記第２の記憶部とは独立して設けられた第３の記憶部と、
前記第２の記憶部に記憶された前記管理情報に基づいて、前記第１の記憶部に記憶されたファイルデータを再生する再生部と、
外部からの操作を入力される入力部と、
前記入力部において、前記第１の記憶部に記憶された或るファイルデータを削除する操作がなされた場合、前記第２の記憶部に記憶された前記或るファイルデータに対応する前記管理情報を、前記第３の記憶部に移動させて記憶させる第１の情報移動部と、
前記第３の記憶部に記憶された前記管理情報に対応するファイルデータを特定する情報を表示させる表示部と、
前記入力部において、前記表示部によって特定する情報を表示されたファイルデータの中から前記或るファイルデータの削除を取消す操作がなされた場合、前記或るファイルデータに対応する前記管理情報を、前記第２の記憶部に移動させて記憶させる第２の情報移動部とを備える、データ記録再生装置。
【請求項３】
映像データを受信する受信部と、
前記受信部の受信した映像データを前記第１の記憶部にファイルデータとして記録する記録部と、
前記第１の記憶部において前記記録部がファイルデータを記録するための領域が不足した場合に、前記第１の記憶部において記憶されているファイルデータの中から上書きの対象となるファイルデータを決定する決定部とをさらに備え、
前記管理情報は、対応するファイルデータが前記第１の記憶部に記憶された時を特定する情報である記憶時特定情報を含み、
前記決定部は、前記第３の記憶部に記憶されている前記管理情報の中の、前記記憶時特定情報で特定される時が最も過去である前記管理情報に対応するファイルデータを、前記上書きの対象となるファイルデータと決定する、請求項２に記載のデータ記録再生装置。
【請求項４】
前記決定部は、前記データ記録再生装置の電源の投入時に、前記上書きの対象となるファイルデータを特定する情報を表示させる、請求項３に記載のデータ記録再生装置。
【発明の詳細な説明】
【技術分野】
【０００１】
本発明は、データ記録再生装置に関し、特に、記憶されているデータの削除に関する動作に特徴を有するデータ記録再生装置に関する。
【背景技術】
【０００２】
従来から、データ記録再生装置において、記録されているデータの削除に関する動作について、種々、技術が開示されてきた。
【０００３】
たとえば、特許文献１では、データ削除無効化装置において、記録媒体にデータおよび当該データのインデックスデータが記録され、管理情報がデータの有効期限やデータの再生回数等の条件と対照され、条件が満たされていると判断されると、当該管理情報に対応するデータが削除または無効化される技術が開示されている。
【０００４】
また、特許文献２には、光磁気ディスクドライブ装置において、光磁気ディスク上の未記録部とされているエリアの開始位置と終了位置とが指定され決定されることにより、当該開始位置から終了位置までのエリアが有為な情報を記録されているエリアとして登録される技術が開示されている。具体的には、特許文献２に記載された技術では、光磁気ディスク上のデータを削除する旨の処理が行なわれると、当該データの記録されていたエリアが未記録部とされる。つまり、データの削除のための操作がなされた場合、当該データを管理する情報が削除されて当該データが記録されていたエリアが未記録部とされるだけであって、当該データが削除されるわけではない。そして、上記のように、未記録部とされているエリアについてデータの再生が行なわれ、当該再生が行なわれている中で開始位置と終了位置の指定がなされることにより、当該開始位置から終了位置までのエリアに記録されたデータを管理する情報が変更される。ただし、上記のような、データを管理する情報の変更によるデータの回復は、データは記録されているが未記録部とされているような上記のエリアにおいて、データの上書きがなされるまでのみ、実行可能となる。
【特許文献１】特開２００１−２８３５０１号公報
【特許文献２】特開平７−３３４８８９号公報
【発明の開示】
【発明が解決しようとする課題】
【０００５】
一旦ユーザが削除するための処理を実行したデータを再度有効化させるという観点では、特許文献２に記載された技術は、有益であると考えられる。
【０００６】
ただし、特許文献２に開示された技術には、データの回復を希望するエリアの開始位置と終了位置を指定しなければならず、処理が煩雑であるという課題が残されていると考えられる。
【０００７】
本発明は、かかる実情に鑑み考え出されたものであり、その目的は、削除のための操作がなされたデータを、容易な操作で、回復させることのできるデータ記録再生装置を提供することである。
【課題を解決するための手段】
【０００８】
本発明のある局面に従ったデータ記録再生装置は、ファイルデータの記録および再生を行なうデータ記録再生装置であって、ファイルデータを記憶する第１の記憶部と、前記第１の記憶部に記憶されたファイルデータを管理する情報である管理情報を記憶する第２の記憶部と、前記第１の記憶部および前記第２の記憶部とは独立して設けられた第３の記憶部と、前記第２の記憶部に記憶された前記管理情報に基づいて、前記第１の記憶部に記憶されたファイルデータを再生する再生部と、外部からの操作を入力される入力部と、前記入力部において、前記第１の記憶部に記憶された或るファイルデータを削除する操作がなされた場合、前記第２の記憶部に記憶された前記或るファイルデータに対応する前記管理情報を、前記第３の記憶部に移動させて記憶させる第１の情報移動部と、前記第３の記憶部に記憶された前記管理情報に対応するファイルデータを特定する情報を表示させる表示部と、前記入力部において、前記表示部によって特定する情報を表示されたファイルデータの中から前記或るファイルデータの削除を取消す操作がなされた場合、前記或るファイルデータに対応する前記管理情報を、前記第２の記憶部に移動させて記憶させる第２の情報移動部と、映像データを受信する受信部と、前記受信部の受信した映像データを前記第１の記憶部にファイルデータとして記録する記録部と、前記第１の記憶部において前記記録部がファイルデータを記録するための領域が不足した場合に、前記第１の記憶部において記憶されているファイルデータの中から上書きの対象となるファイルデータを決定する決定部とを備え、前記管理情報は、対応するファイルデータが前記第１の記憶部に記憶された時を特定する情報である記憶時特定情報を含み、前記決定部は、前記第３の記憶部に記憶されている前記管理情報の中の、前記記憶時特定情報で特定される時が最も過去である前記管理情報に対応するファイルデータを、前記上書きの対象となるファイルデータと決定し、かつ、前記データ記録再生装置の電源の投入時に、前記上書きの対象となるファイルデータを特定する情報を表示させることを特徴とする。
【０００９】
本発明のある局面に従ったデータ記録再生装置は、ファイルデータを記憶する第１の記憶部と、前記第１の記憶部に記憶されたファイルデータを管理する情報である管理情報を記憶する第２の記憶部と、前記第１の記憶部および前記第２の記憶部とは独立して設けられた第３の記憶部と、前記第２の記憶部に記憶された前記管理情報に基づいて、前記第１の記憶部に記憶されたファイルデータを再生する再生部と、外部からの操作を入力される入力部と、前記入力部において、前記第１の記憶部に記憶された或るファイルデータを削除する操作がなされた場合、前記第２の記憶部に記憶された前記或るファイルデータに対応する前記管理情報を、前記第３の記憶部に移動させて記憶させる第１の情報移動部と、前記第３の記憶部に記憶された前記管理情報に対応するファイルデータを特定する情報を表示させる表示部と、前記入力部において、前記表示部によって特定する情報を表示されたファイルデータの中から前記或るファイルデータの削除を取消す操作がなされた場合、前記或るファイルデータに対応する前記管理情報を、前記第２の記憶部に移動させて記憶させる第２の情報移動部とを備えることを特徴とする。
【００１０】
また、本発明のデータ記録再生装置は、映像データを受信する受信部と、前記受信部の受信した映像データを前記第１の記憶部にファイルデータとして記録する記録部と、前記第１の記憶部において前記記録部がファイルデータを記録するための領域が不足した場合に、前記第１の記憶部において記憶されているファイルデータの中から上書きの対象となるファイルデータを決定する決定部とをさらに備え、前記管理情報は、対応するファイルデータが前記第１の記憶部に記憶された時を特定する情報である記憶時特定情報を含み、前記決定部は、前記第３の記憶部に記憶されている前記管理情報の中の、前記記憶時特定情報で特定される時が最も過去である前記管理情報に対応するファイルデータを、前記上書きの対象となるファイルデータと決定することが好ましい。
【００１１】
また、本発明のデータ記録再生装置では、前記決定部は、前記データ記録再生装置の電源の投入時に、前記上書きの対象となるファイルデータを特定する情報を表示させることが好ましい。
【発明の効果】
【００１２】
本発明に従ったデータ記録再生装置では、第２の記憶部に記憶された管理情報に基づいて、ファイルデータの再生がなされる。つまり、再生可能なファイルの管理情報は、第２の記憶部に記憶される。なお、当該データ記録再生装置では、或るファイルデータを削除するための情報が入力されると、当該或るファイルデータに対応する管理情報は、第２の記憶部から第３の記憶部に移動される。つまり、データ記録再生装置において、或るファイルデータを削除するための情報が入力されただけでは、当該或るファイルデータは削除されず、さらに、当該或るファイルデータの管理情報も消去されることがない。これにより、ユーザは、データ記録再生装置において、当該或るファイルデータの回復を希望する場合、つまり、或るファイルデータの削除の取消しを希望する場合、第３の記憶部に記憶された管理情報に対応するファイフデータを特定する情報を表示させ、当該表示に基づいて当該或るファイルデータの削除を取消す操作を行なえば良い。つまり、ユーザは、データ記録再生装置において、当該或るファイルデータの回復を希望する場合、当該或るファイルデータに対応するエリアの開始位置と終了位置とを指定するという、煩雑な処理を必要とされない。
【００１３】
したがって、本発明によると、ユーザは、データ記録再生装置において削除のための操作がなされたデータを、容易な操作で回復させることができる。
【００１４】
また、本発明によると、管理情報を第３の記憶部に移動された、つまり、削除するための操作がなされたファイルデータの中で、古いものから順に、上書きの対象とされるようになる。つまり、削除されたファイルデータが、上書きの対象とされるのに好ましいと考えられる順に、上書きの対象とされる。
【００１５】
また、本発明によると、データ記録再生装置において、電源の投入時に、ユーザは、どのファイルデータが次に上書きの対象となるかを容易に認識できるため、万が一、上書きの対象としたくないファイルデータが対象とされていた場合に、何らかの処置を考えることができる。
【発明を実施するための最良の形態】
【００１６】
以下、図面を参照しつつ、本発明の実施の形態を説明する。
【００１７】
図１は、本発明のデータ記録再生装置の一実施の形態であるハードディスクレコーダ１の構成を示す図である。
【００１８】
ハードディスクレコーダ１は、当該ハードディスクレコーダ１の全体的な動作を制御するシステム制御回路１０を備えている。
【００１９】
ハードディスクレコーダ１において、チューナ１１は、システム制御回路１０からディジタル放送のチャンネル指定信号が供給された場合には、この指定されたチャンネルのディジタル放送波を受信する。この際、チューナ１１は、受信したディジタル放送波を復調することによりＭＰＥＧ(Moving Picture Experts Group)信号を得て、これをＭＰＥＧ信号Ｍ１としてハードディスク装置１２に供給する。また、チューナ１１は、システム制御回路１０からアナログテレビジョン放送(ＮＴＳＣ（National Television Standards Committee）方式、ＰＡＬ（Phase Alternation by Line）方式、またはＳＥＣＡＭ（SEquential Couleur A Memoire）方式)のチャンネル指定信号が供給された場合には、この指定されたチャンネルのアナログテレビジョン放送波を受信する。この際、チューナ１１は、受信したアナログテレビジョン放送波を復調して得たテレビジョン信号をＭＰＥＧエンコーダ１４に供給する。ＭＰＥＧエンコーダ１４は、かかるテレビジョン信号に対してＭＰＥＧ符号化処理を施して得た信号をＭＰＥＧ信号Ｍ２としてハードディスク装置１２に供給する。
【００２０】
ハードディスク装置１２は、再生ＭＰＥＧ信号ＲＭをＭＰＥＧデコーダ１７に供給する。ＭＰＥＧデコーダ１７は、ハードディスク装置１２から供給されたＭＰＥＧ信号に対してＭＰＥＧ復号処理を施すことにより、映像信号を得てこれを映像信号ＤAVとしてセレクタ１８に供給する。ハードディスク装置１２は、ハードディスクレコーダ１における補助記憶装置であり、ハードディスク１２０と当該ハードディスク１２０に記録されたデータを再生させるためのピックアップ１２００とを含む。
【００２１】
ＯＳＤ(On Screen Display)画像生成回路１９は、システム制御回路１０から供給された各種メッセージ表示指令に応じた画像を表示させるべきメッセージ画像信号ＤC を生成し、これをセレクタ１８に供給する。セレクタ１８は、上記映像信号ＤAVおよびメッセージ画像信号ＤC の中から、システム制御回路１０から供給された選択信号に応じた方を択一的に選択し、これを表示装置２００に供給する。
【００２２】
表示装置２００は、ハードディスクレコーダ１から供給された上記映像信号ＤAV、またはメッセージ画像信号ＤC に基づく画像表示を行なう。
【００２３】
操作装置２２は、ユーザからの、放送チャンネルを指定する操作、録画済みファイルの中から再生するファイルを指定する操作等、各種の操作を受付け、その操作に応じた各種操作信号をシステム制御回路１０に供給する。なお、操作装置２２は、たとえば、ハードディスクレコーダ１の筐体とは分離しているリモートコントローラからなる。
【００２４】
また、システム制御回路１０は、計時動作を行なうタイマ２３に接続され、さらに、ハードディスクレコーダ１における主記憶装置であるメモリ１００を備えている。
【００２５】
図２に、ハードディスク１２０内に定義されている記憶領域を模式的に示す。なお、図２では、ハードディスク１２０内で複数の領域が定義されていることを、領域を区切ることにより表現しているが、区切られた各領域の大きさと、各領域を構成するデータ量との間には、直接的に比例関係などは考慮されていないものとする。
【００２６】
ハードディスク１２０には、主に、リングバッファであるタイムシフト領域１２１と、情報を長期記録するための録画領域１２２と、タイムシフト領域１２１および録画領域１２２を管理する情報を記録されるインデックスデータ記憶領域１２３とが定義されている。タイムシフト領域１２１は、タイムシフト再生が行なわれる際に利用される。タイムシフト再生とは、チューナ１１またはＭＰＥＧエンコーダ１４からハードディスク装置１２に入力されたデータを、タイムシフト領域１２１に記録しつつ、（ほぼ）同時に再生する再生パターンである。
【００２７】
インデックスデータ記憶領域１２３に記録される、タイムシフト領域１２１および録画領域１２２を管理する情報とは、たとえば、録画領域１２２に記録された各番組データ（ファイルデータ）を管理する情報（インデックスデータ）を含む。図３に、インデックスデータ記憶領域１２３に記憶される内容を一部を模式的に示す。
【００２８】
図３に示された状態では、インデックスデータ記憶領域１２３に、録画領域１２２に記録され、それぞれ「Ａ」「Ｂ」「Ｃ」「Ｄ」「Ｅ」および「Ｆ」というタイトルを付けられた、６つの番組データ（ファイルデータ）についてのインデックスデータが記憶されている。また、各ファイルデータのインデックスデータは、タイトルに関連付けられた、「Ａ１」等で示された各ファイルデータの録画領域１２２において記憶される位置を示す情報（アドレス情報）および「Ａ２」等で示された各ファイルデータが録画領域１２２に記録された日時を特定する情報（記録日時）を含む。各インデックスデータは、タイトル、アドレス情報、および、記録日時以外にも、ファイルデータを管理する情報を含んでいても良い。なお、図３において、タイトル、アドレス情報、および、記録日時は、それぞれアルファベットまたはそれと数字の組み合わせによって記載されているが、これらの情報のデータ形式は図３に記載されたものに限定されない。
【００２９】
さらに、ハードディスク１２０には、バックアップデータ記憶領域１２４が定義されている。当該バックアップデータ記憶領域１２４は、後述するように、録画領域１２２に記録されたファイルデータの中で、削除されるための操作がなされたファイルデータについて、当該ファイルデータに対応するインデックスデータを一時的に記憶するための記憶領域である。
【００３０】
次に、ハードディスクレコーダ１の動作を、システム制御回路１０が実行する処理に基づいて説明する。図４に、システム制御回路１０の実行するメインルーチンのフローチャートを示す。
【００３１】
図４を参照して、ハードディスクレコーダ１に電源を投入されると、システム制御回路１０は、ステップＳ１（以下、「ステップ」を省略する）操作装置２２に対して何らかの操作がなされたか否かを判断し、操作がなされたと判断すると、処理をＳ２に進める。
【００３２】
Ｓ２では、システム制御回路１０は、操作装置２２に対してなされた操作が、録画領域１２２に記憶されたファイルデータの再生のための操作であったか否かを判断する。そして、そうであると判断するとＳ３へ、そうではないと判断するとＳ４へ、それぞれ処理を進める。
【００３３】
Ｓ３では、システム制御回路１０は、ファイルデータの再生のための処理（再生処理）を実行して、Ｓ１に処理を戻す。なお、再生処理の詳細については、後述する。
【００３４】
Ｓ４では、システム制御回路１０は、操作装置２２に対してなされた操作が、録画領域１２２に記憶されたファイルデータを削除するための操作であったか否かを判断する。そして、そうであると判断するとＳ５へ、そうではないと判断するとＳ６へ、それぞれ処理を進める。なお、録画領域１２２に記憶されたファイルデータを削除する、とは、当該ファイルデータを再生できない状態にする、という意味である。
【００３５】
Ｓ５では、システム制御回路１０は、ファイルデータの削除のための処理（削除処理）を実行して、Ｓ１に処理を戻す。なお、削除処理の詳細については、後述する。
【００３６】
Ｓ６では、システム制御回路１０は、操作装置２２に対してなされた操作が、Ｓ５における削除処理で削除されたファイルデータを回復させるための操作であったか否かを判断する。そして、そうであると判断するとＳ７へ、そうではないと判断するとＳ８へ、それぞれ処理を進める。なお、削除されたファイルデータを回復させる、とは、一度再生できない状態とされたファイルデータを再生できる状態にすることを意味し、つまりは、削除を取消すことを意味する。
【００３７】
Ｓ７では、システム制御回路１０は、ファイルデータの回復のための処理（回復処理）を実行して、Ｓ１に処理を戻す。なお、回復処理の詳細については、後述する。
【００３８】
Ｓ８では、システム制御回路１０は、操作装置２２に対してなされた操作が、録画のための操作であったか否かを判断する。そして、そうであると判断するとＳ９へ、そうではないと判断するとＳ１０へ、それぞれ処理を進める。なお、録画とは、チューナ１１を介して受信した新たな映像データを録画領域１２２に記録することを意味する。
【００３９】
Ｓ９では、システム制御回路１０は、録画のための処理（録画処理）を実行して、Ｓ１に処理を戻す。なお、録画処理の詳細については、後述する。
【００４０】
Ｓ１０では、システム制御回路１０は、なされた操作に応じた処理を実行した後、処理をＳ１に戻す。
【００４１】
図５は、Ｓ３の再生処理のサブルーチンのフローチャートである。図５を参照して、再生処理では、システム制御回路１０は、まず、Ｓ３１で、インデックスデータ記憶領域１２３にインデックスデータを記憶されているファイルの一覧を、表示装置２００に表示させる。たとえば、インデックスデータ記憶領域１２３に図３に示したようなインデックスデータが記憶されている場合には、Ｓ３１の処理によって、表示装置２００には、たとえば「Ａ」〜「Ｆ」の各ファイルのタイトルが一覧表示される。なお、本実施の形態では、一覧表示の際にファイルの一覧として表示されるのは、各ファイルのタイトルに限定されず、各ファイルに含まれる画像の１コマ等であっても良い。
【００４２】
次に、システム制御回路１０は、Ｓ３２で、ユーザからの、操作装置２２を介した、再生するファイルを指定する情報の入力を受付ける。なお、ここでは、たとえば、ユーザは、操作装置２２に対して、表示装置２００に表示されたファイルのタイトルの中から、再生させたいファイルのタイトルを入力する。また、Ｓ３１において、各ファイルが番号に関連付けて表示されている場合には、ユーザは、操作装置２２に対して、再生させたいファイルに対応する番号を入力する。以下、本実施の形態では、ユーザによるファイルを指定する情報の入力は、同様に行なわれるものとする。
【００４３】
そして、システム制御回路１０は、Ｓ３３で、インデックスデータ記憶領域１２３において、Ｓ３２で受付けた情報によって指定されるファイルのインデックスデータを検索する。
【００４４】
そして、Ｓ３４で、システム制御回路１０は、Ｓ３３における検索結果であるインデックスデータ（特に、アドレス情報）に基づいて、録画領域１２２に記憶されたファイルデータの中から、指定されたファイルのファイルデータを再生させて、リターンする。
【００４５】
図６は、図４のＳ５の削除処理のサブルーチンのフローチャートである。図６を参照して、削除処理では、システム制御回路１０は、まず、Ｓ５１で、インデックスデータ記憶領域１２３にインデックスデータを記憶されているファイルの一覧を、表示装置２００に表示させる。
【００４６】
次に、システム制御回路１０は、Ｓ５２で、ユーザからの、操作装置２２を介した、削除するファイルを指定する情報の入力を受付ける。
【００４７】
そして、システム制御回路１０は、Ｓ５３で、Ｓ５２で受付けた情報によって指定されるファイルのインデックスデータを、インデックスデータ記憶領域１２３からバックアップデータ記憶領域１２４に移動させる。
【００４８】
ここで、たとえば、インデックスデータ記憶領域１２３に図３に示されるように「Ａ」〜「Ｆ」の６つのインデックスデータが記憶されている状態を考える。ハードディスクレコーダ１がこの状態にあるときに、タイトルが「Ｄ」「Ｅ」という２つのファイルを削除するための操作がなされると、Ｓ５３の処理により、インデックスデータ記憶領域１２３に記憶されるインデックスデータは、図３に示された状態から図７（Ａ）に示すように変化する。つまり、インデックスデータ記憶領域１２３に記憶されるインデックスデータは、タイトルが「Ｄ」「Ｅ」という２つのファイルのインデックスデータが削除されたような、つまり、タイトル「Ａ」「Ｂ」「Ｃ」「Ｆ」という４つのファイルについてのインデックスデータとなる。また、これに対応して、バックアップデータ記憶領域１２４には、図７（Ｂ）に示すように、インデックスデータ記憶領域１２３において削除された、タイトル「Ｄ」「Ｅ」という２つのファイルのインデックスデータが、記憶されるようになる。
【００４９】
そして、システム制御回路１０は、Ｓ５４で、バックアップデータ記憶領域１２４にインデックスデータを記憶されているファイルの一覧を、表示装置２００に表示させて、リターンする。バックアップデータ記憶領域１２４の記憶内容が図７（Ｂ）に示すような場合には、Ｓ５４の処理によって、たとえば、表示装置２００に、図８に示すような画面が表示される。図８に示された画面では、タイトル「Ｄ」「Ｅ」の２つのファイルのタイトルが一覧表示されている。
【００５０】
図９は、図４のＳ７の回復処理のサブルーチンのフローチャートである。図９を参照して、回復処理では、システム制御回路１０は、まず、Ｓ７１で、バックアップデータ記憶領域１２４にインデックスデータを記憶されているファイルの一覧を、表示装置２００に表示させる。
【００５１】
次に、システム制御回路１０は、Ｓ７２で、ユーザからの、操作装置２２を介した、回復させるファイルを指定する情報の入力を受付ける。
【００５２】
そして、システム制御回路１０は、Ｓ７３で、Ｓ７２で受付けた情報によって指定されるファイルのインデックスデータを、バックアップデータ記憶領域１２４からインデックスデータ記憶領域１２３に移動させる。
【００５３】
そして、システム制御回路１０は、Ｓ７４で、バックアップデータ記憶領域１２４にインデックスデータを記憶されているファイルの一覧を、表示装置２００に表示させて、リターンする。
【００５４】
たとえば、インデックスデータ記憶領域１２３にタイトルが「Ａ」〜「Ｆ」である６つのファイルについてのインデックスデータが記憶されていた状態から、タイトルが「Ｄ」と「Ｅ」である２つのファイルを削除する操作が行なわれ、その後、タイトルが「Ｅ」であるファイルを回復させる操作が行なわれたとする。
【００５５】
この場合、結果として、タイトルが「Ｄ」であるファイルのみが、削除されることになる。したがって、Ｓ７４の処理によって表示装置２００の画面に表示されるのは、図１０に示されるように、タイトルが「Ｄ」であるファイルについての情報のみである。
【００５６】
また、この場合、インデックスデータ記憶領域１２３には、図１１（Ａ）に示されるように、タイトルが「Ａ」「Ｂ」「Ｃ」「Ｅ」および「Ｆ」である５つのファイルのインデックスデータが記憶され、バックアップデータ記憶領域１２４には、図１１（Ｂ）に示されるように、タイトルが「Ｄ」であるファイルのインデックスデータのみが記憶される。
【００５７】
図１２は、図４のＳ９の録画処理のサブルーチンのフローチャートである。図１２を参照して、録画処理では、システム制御回路１０は、まず、Ｓ９１で、アンテナ１１を介して受信した映像データを、逐次、録画領域１２２の空き領域に書込みを行なう。空き領域とは、インデックスデータがインデックスデータ記憶領域１２３またはバックアップデータ記憶領域１２４のいずれかに記憶されているファイルデータについて、当該ファイルデータの記録がなされていない領域である。システム制御回路１０は、どこが空き領域であるかを、たとえば、インデックスデータ記憶領域１２３およびバックアップデータ記憶領域１２４に記憶されたインデックスデータのアドレス情報を参照することにより、認識することができる。
【００５８】
次に、システム制御回路１０は、Ｓ９２で、Ｓ９１における書込み動作を終了するための条件（記録終了条件）が成立したか否かを判断する。記録終了条件の成立の例としては、たとえば、ユーザによって録画を終了するための操作がなされたことや、録画予約に従った録画動作において録画を終了すべき時刻となったことを挙げることができる。そして、システム制御回路１０は、記録終了条件が成立したと判断すると、Ｓ９８で、映像データの書込み動作を終了させる処理を行なった後、リターンする。一方、記録終了条件が成立していないと判断すると、システム制御回路１０は、Ｓ９３に処理を進める。
【００５９】
Ｓ９３では、システム制御回路１０は、録画領域１２２における未録画領域（空き領域）が、予め定められた所定のデータ量未満となったか否かを判断する。そして、システム制御回路１０は、空き領域が、所定のデータ量未満であると判断するとＳ９４へ、所定のデータ量以上であると判断するとＳ９１へ、それぞれ処理を進める。
【００６０】
Ｓ９４では、システム制御回路１０は、バックアップデータ記憶領域１２４に記憶されているインデックスデータの中で、最も記憶日時の古いインデックスデータを、「インデックスデータＸ」として、Ｓ９５に処理を進める。
【００６１】
Ｓ９５では、システム制御回路１０は、録画領域１２２の中で、インデックスデータＸが記憶されているアドレスを、データの上書きの対象となるアドレスとして、Ｓ９６に処理を進める。
【００６２】
Ｓ９６では、システム制御回路１０は、インデックスデータＸを、バックアップデータ記憶領域１２４から削除して、Ｓ９７に処理を進める。
【００６３】
Ｓ９７では、その時点でバックアップデータ記憶領域１２４にインデックスデータを記憶されているファイルの一覧を表示装置２００の画面に表示させて、Ｓ９１に処理を戻す。
【００６４】
以上説明した記録処理では、録画領域１２２における空き領域が所定のデータ量未満となった場合には、バックアップデータ記憶領域１２４に記憶されている中で最も記憶日時の古いインデックスデータ（インデックスデータＸ）に対応したファイルが、上書き対象とされる。また、Ｓ９７の処理による一覧表示では、インデックスデータＸに対応するファイルについての表示がなされないことから、ユーザは、インデックスデータＸに対応するファイルの回復が不可能となったことを認識できる。
【００６５】
以上説明した本実施の形態では、図２等を用いて説明したように、インデックスデータ記憶領域１２３およびバックアップデータ記憶領域１２４は、いずれもハードディスク１２０内に設けられていたが、本発明はこれに限定されず、これらの領域のいずれか一方または両方が、システム制御回路１０のメモリ１００内等に設けられていても良い。
【００６６】
また、以上説明した本実施の形態では、たとえば、ハードディスクレコーダ１に電源が投入されたときであってユーザの操作を受付ける前に、表示装置２００に、次回上書き対象となるファイルのファイル名等を表示させても良い。次回上書き対象となるファイルとは、削除するための操作が行なわれたファイルであって、バックアップデータ記憶領域１２４において記録日時が最も古いインデックスデータに対応するファイルである。なお、バックアップデータ記憶領域１２４において記録日時が最も古いインデックスデータに対応するファイルとは、バックアップデータ記憶領域１２４にインデックスデータを記憶されているファイルの中で、最も古くから録画領域１２２に記録されていたファイルである。
【００６７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６８】
【図１】本発明のデータ記録再生装置の一実施の形態であるハードディスクレコーダの構成を示す図である。
【図２】図１のハードディスク内に定義されている記憶領域を模式的に示す図である。
【図３】図２のインデックスデータ記憶領域における記憶内容の一部を模式的に示す図である。
【図４】図１のシステム制御回路が実行するメインルーチンのフローチャートである。
【図５】図４の再生処理のサブルーチンのフローチャートである。
【図６】図４の削除処理のサブルーチンのフローチャートである。
【図７】（Ａ）は、図２のインデックスデータ記憶領域における記憶内容の一例を模式的に示す図であり、（Ｂ）は、図２のバックアップデータ記憶領域における記憶内容の一例を模式的に示す図である。
【図８】図１の表示装置における表示画面の一例を示す図である。
【図９】図４の回復処理のサブルーチンのフローチャートである。
【図１０】図１の表示装置における表示画面の他の一例を示す図である。
【図１１】（Ａ）は、図２のインデックスデータ記憶領域における記憶内容の他の一例を模式的に示す図であり、（Ｂ）は、図２のバックアップデータ記憶領域における記憶内容の他の一例を模式的に示す図である。
【図１２】図４の録画処理のサブルーチンのフローチャートである。
【符号の説明】
【００６９】
１  ハードディスクレコーダ、１０  システム制御回路、１１  チューナ、１２  ハードディスク装置、１８  セレクタ、１４  ＭＰＥＧエンコーダ、１７  ＭＰＥＧデコーダ、１９  ＯＳＤ画像生成回路、２２  操作装置、２３  タイマ、１００  メモリ、１２０  ハードディスク、１２１  タイムシフト領域、１２２  録画領域、１２３  インデックスデータ記憶領域、１２４  バックアップデータ記憶領域、２００  表示装置。
【図１】
2005196840.tif 000003
【図２】
2005196840.tif 000004
【図３】
2005196840.tif 000005
【図４】
2005196840.tif 000006
【図５】
2005196840.tif 000007
【図６】
2005196840.tif 000008
【図７】
2005196840.tif 000009
【図８】
2005196840.tif 000010
【図９】
2005196840.tif 000011
【図１０】
2005196840.tif 000012
【図１１】
2005196840.tif 000013
【図１２】
2005196840.tif 000014